(57)【特許請求の範囲】
【請求項１】
少なくとも２つの被走査面を個別に主走査方向に光走査する光走査装置であって、
前記主走査方向に直交する副走査方向に関して互いに異なる位置に配置された少なくとも２つの光源と；
前記少なくとも２つの光源に対応して設けられ、該光源から射出された光束を前記副走査方向に関して集光させる少なくとも２つの線像形成レンズと；
前記少なくとも２つの線像形成レンズを介した複数の光束を偏向する光偏向器と；
前記光偏向器で偏向された複数の光束を対応する被走査面に導く走査光学系と；を備え、
前記少なくとも２つの線像形成レンズは、前記主走査方向の一側端面の全面が接着剤で固定され、前記主走査方向に関して光束が入射する領域の中心が光学面の中心に対して前記主走査方向の他側にずれていることを特徴とする光走査装置。
【請求項２】
少なくとも２つの被走査面を個別に主走査方向に光走査する光走査装置であって、
前記主走査方向に直交する副走査方向に関して互いに異なる位置に配置された少なくとも２つの光源と；
前記少なくとも２つの光源に対応して設けられ、該光源から射出された光束を前記副走査方向に関して集光させる少なくとも２つの線像形成レンズと；
前記少なくとも２つの線像形成レンズを介した複数の光束を偏向する光偏向器と；
前記光偏向器で偏向された複数の光束を対応する被走査面に導く走査光学系と；を備え、
前記少なくとも２つの光源は、第１の光源と第２の光源を含み、
前記少なくとも２つの線像形成レンズは、前記主走査方向の両側端面あるいは一側端面の全面が接着剤で固定され、且つ、前記第１の光源に対応する第１の線像形成レンズと前記第２の光源に対応する第２の線像形成レンズを含み、
前記走査光学系は、前記第１の光源からの光束を対応する被走査面に導く第１の光学系と、前記第２の光源からの光束を対応する被走査面に導く第２の光学系とを含み、
前記第１の光学系における反射光学素子の枚数は、前記第２の光学系における反射光学素子の枚数よりも多く、
前記第１の線像形成レンズに塗布された前記接着剤の量は、前記第２の線像形成レンズに塗布された前記接着剤の量よりも多いことを特徴とする光走査装置。
【請求項３】
前記少なくとも２つの線像形成レンズを介した複数の光束は、前記副走査方向に関して、前記反射面に対して斜入射されることを特徴とする請求項１又は２に記載の光走査装置。
【請求項４】
前記少なくとも２つの線像形成レンズを介した複数の光束は、前記光偏向器における同一の反射面で偏向されることを特徴とする請求項１〜３のいずれか一項に記載の光走査装置。
【請求項５】
前記少なくとも２つの線像形成レンズは、前記副走査方向に関して互いに近接して配置されていることを特徴とする請求項１〜４のいずれか一項に記載の光走査装置。
【請求項６】
前記少なくとも２つの線像形成レンズを保持する保持部材を備え、
前記少なくとも２つの線像形成レンズは、前記保持部材の同一の面に固定されていることを特徴とする請求項１〜５のいずれか一項に記載の光走査装置。
【請求項７】
前記走査光学系は、前記副走査方向にパワーを持つ走査レンズ、及び前記光偏向器で偏向された光束の光路を前記走査レンズに向かう方向に反射する反射光学素子を含むことを特徴とする請求項１〜６のいずれか一項に記載の光走査装置。
【請求項８】
前記少なくとも２つの光源と前記少なくとも２つの線像形成レンズは、同一の保持部材に保持されていることを特徴とする請求項１〜７のいずれか一項に記載の光走査装置。
【請求項９】
前記少なくとも２つの光源に対応して設けられた少なくとも２つのカップリングレンズを備え、
前記少なくとも２つのカップリングレンズは、それぞれ対応する光源と線像形成レンズとの間の光路上に配置され、該光源から射出された光束を略平行光束とし、
前記少なくとも２つの線像形成レンズは、それぞれ光線が略垂直に入射するように固定されていることを特徴とする請求項１〜８のいずれか一項に記載の光走査装置。
【請求項１０】
前記接着剤は、紫外線硬化型の接着剤であることを特徴とする請求項１〜９のいずれか一項に記載の光走査装置。
【請求項１１】
複数の像担持体と；
前記複数の像担持体に対して画像情報に応じて変調された光を用いて光走査する請求項１〜１０のいずれか一項に記載の光走査装置と;を備える画像形成装置。
【発明の詳細な説明】
【技術分野】
【０００１】
本発明は、光走査装置及び画像形成装置に係り、更に詳しくは、光により被走査面を走査する光走査装置、及び該光走査装置を備える画像形成装置に関する。
【背景技術】
【０００２】
電子写真方式の画像記録では、レーザを用いた画像形成装置が広く用いられている。この場合、画像形成装置は光走査装置を備え、光源から射出されたレーザ光を光偏向器を用いて偏向し、感光性を有するドラム（以下では、「感光体ドラム」という）の表面を軸方向（主走査方向）に走査しつつ、感光体ドラムを回転させ、感光体ドラムの表面に潜像を形成する方法が一般的である。
【０００３】
近年、画像形成装置において、出力画像の多色化が進み、感光体ドラムを複数（通常は４つ）有するタンデム方式の画像形成装置が普及してきている。
【０００４】
また、画像形成装置における画像形成速度の高速化のために、複数の光で同時に感光体ドラムの表面を走査するマルチビーム走査方式が提案された。この場合、光走査装置は複数の光源を有することとなり、該複数の光源が副走査方向に離れて配置されていると、各光源にそれぞれ対応する複数のシリンドリカルレンズの位置が画像品質に影響する。
【０００５】
例えば、特許文献１には、シリンドリカルレンズが中間的な部材を介してハウジングに装着されている光走査装置が開示されている。
【０００６】
また、特許文献２には、複数のシリンダレンズの全てが一体的に構成されて複合結像素子を構成している走査光学系が開示されている。
【０００７】
また、特許文献３には、アナモフィック結像素子が、その主走査方向の端部と副走査方向の端部のうちパワーの弱い方向の端部のみが基台に接触し、該端部の略中央部で基台に固定される光走査装置が開示されている。
【発明の概要】
【発明が解決しようとする課題】
【０００８】
しかしながら、特許文献１に開示されている光走査装置では、ハウジングとは別に中間部材が必要なため、部品点数が増加してしまい、コストアップを招くという不都合があった。また、環境温度が変化すると、接着剤の膨張／収縮によってシリンドリカルレンズが光軸方向に移動し、ビーム径の変化によって画像が劣化するおそれがあった。
【０００９】
また、特許文献２に開示されている走査光学系では、複数のシリンダレンズの光軸方向の位置を個別に調整することができないため、走査レンズの曲率誤差がそのまま被走査面でのピントずれとなってしまい、画質の劣化を招くという不都合があった。
【００１０】
また、特許文献３に開示されている光走査装置のアナモフィック結像素子と同様にしてシリンドリカルレンズを固定しようとしても、副走査方向に離間した複数のシリンドリカルレンズを保持することは困難であった。さらに、特許文献３に開示されている実施例（図２ａ、図３）では、主走査方向の端部に対し、レンズ下側のみを基台に当接させる構成となっている。このような構成では、温度変動によって基台が膨張／収縮し、レンズが光軸まわり方向に微小に回転するおそれがあった。なお、回転対称でないアナモフィック結像素子が光軸まわりに回転すると、波面収差が発生し、ビームスポット径の太りの原因になる。
【００１１】
本発明は、かかる事情の下になされたもので、その第１の目的は、複数の光で高精度の光走査を安定して行うことができる光走査装置を提供することにある。
【００１２】
また、本発明の第２の目的は、高品質の画像を安定して形成することができる画像形成装置を提供することにある。
【課題を解決するための手段】
【００１３】
本発明は、第１の観点からすると、少なくとも２つの被走査面を個別に主走査方向に光走査する光走査装置であって、前記主走査方向に直交する副走査方向に関して互いに異なる位置に配置された少なくとも２つの光源と；前記少なくとも２つの光源に対応して設けられ、該光源から射出された光束を前記副走査方向に関して集光させる少なくとも２つの線像形成レンズと；前記少なくとも２つの線像形成レンズを介した複数の光束を偏向する光偏向器と；前記光偏向器で偏向された複数の光束を対応する被走査面に導く走査光学系と；を備え、前記少なくとも２つの線像形成レンズは、前記主走査方向の一側端面の全面が接着剤で固定され、前記主走査方向に関して光束が入射する領域の中心が光学面の中心に対して前記主走査方向の他側にずれていることを特徴とする光走査装置である。
【００１４】
これによれば、複数の光で高精度の光走査を安定して行うことができる。
本発明は、第２の観点からすると、少なくとも２つの被走査面を個別に主走査方向に光走査する光走査装置であって、前記主走査方向に直交する副走査方向に関して互いに異なる位置に配置された少なくとも２つの光源と；前記少なくとも２つの光源に対応して設けられ、該光源から射出された光束を前記副走査方向に関して集光させる少なくとも２つの線像形成レンズと；前記少なくとも２つの線像形成レンズを介した複数の光束を偏向する光偏向器と；前記光偏向器で偏向された複数の光束を対応する被走査面に導く走査光学系と；を備え、前記少なくとも２つの光源は、第１の光源と第２の光源を含み、前記少なくとも２つの線像形成レンズは、前記主走査方向の両側端面あるいは一側端面の全面が接着剤で固定され、且つ、前記第１の光源に対応する第１の線像形成レンズと前記第２の光源に対応する第２の線像形成レンズを含み、前記走査光学系は、前記第１の光源からの光束を対応する被走査面に導く第１の光学系と、前記第２の光源からの光束を対応する被走査面に導く第２の光学系とを含み、前記第１の光学系における反射光学素子の枚数は、前記第２の光学系における反射光学素子の枚数よりも多く、前記第１の線像形成レンズに塗布された前記接着剤の量は、前記第２の線像形成レンズに塗布された前記接着剤の量よりも多いことを特徴とする光走査装置である。
これによれば、複数の光で高精度の光走査を安定して行うことができる。
【００１５】
本発明は、第３の観点からすると、複数の像担持体と；前記複数の像担持体に対して画像情報に応じて変調された光を用いて光走査する本発明の光走査装置と;を備える画像形成装置である。
【００１６】
これによれば、高品質の画像を安定して形成することができる。
【図面の簡単な説明】
【００１７】
【図１】本発明の一実施形態に係るカラープリンタの概略構成を説明するための図である。
【図２】図１における光走査装置２０１０Ａの構成を説明するための図（その１）である。
【図３】図１における光走査装置２０１０Ａの構成を説明するための図（その２）である。
【図４】図４（Ａ）〜図４（Ｃ）は、それぞれ光源に含まれるＬＤアレイを説明するための図である。
【図５】偏向器側走査レンズの各光学面の形状を説明するための図である。
【図６】各像面側走査レンズの各光学面の形状を説明するための図である。
【図７】各像面側走査レンズの配置状態を説明するための図である。
【図８】主な光学素子の配置例を説明するための図である。
【図９】図８におけるｄ１〜ｄ９の具体例を説明するための図である。
【図１０】走査光学系の配置例を説明するための図である。
【図１１】保持部材を説明するための図である。
【図１２】各シリンドリカルレンズの保持状態を説明するための図（その１）である。
【図１３】各シリンドリカルレンズの保持状態を説明するための図（その２）である。
【図１４】図１４（Ａ）は、各シリンドリカルレンズの底面接着を説明するための図であり、図１４（Ｂ）は、各シリンドリカルレンズの側面接着を説明するための図である。
【図１５】シリンドリカルレンズの副走査位置調整の効果を説明するための図（その１）である。
【図１６】シリンドリカルレンズの副走査位置調整の効果を説明するための図（その２）である。
【図１７】シリンドリカルレンズの側面接着の効果を説明するための図（その１）である。
【図１８】シリンドリカルレンズの側面接着の効果を説明するための図（その２）である。
【図１９】図１における光走査装置２０１０Ｂの構成を説明するための図（その１）である。
【図２０】図１における光走査装置２０１０Ｂの構成を説明するための図（その２）である。
【図２１】光走査装置の変形例を説明するための図である。
【図２２】シリンドリカルレンズの両側面接着を説明するための図である。
【発明を実施するための形態】
【００１８】
以下、本発明の一実施形態を図１〜図２０に基づいて説明する。図１には、一実施形態に係る画像形成装置としてのカラープリンタ２０００の概略構成が示されている。
【００１９】
このカラープリンタ２０００は、４色（ブラック、シアン、マゼンタ、イエロー）を重ね合わせてフルカラーの画像を形成するタンデム方式の多色カラープリンタであり、２つの光走査装置（２０１０Ａ、２０１０Ｂ）、４つの感光体ドラム（２０３０ａ、２０３０ｂ、２０３０ｃ、２０３０ｄ）、４つのクリーニングユニット（２０３１ａ、２０３１ｂ、２０３１ｃ、２０３１ｄ）、４つの帯電装置（２０３２ａ、２０３２ｂ、２０３２ｃ、２０３２ｄ）、４つの現像ローラ（２０３３ａ、２０３３ｂ、２０３３ｃ、２０３３ｄ）、４つのトナーカートリッジ（２０３４ａ、２０３４ｂ、２０３４ｃ、２０３４ｄ）、転写ベルト２０４０、転写ローラ２０４２、定着装置２０５０、給紙コロ２０５４、レジストローラ対２０５６、排紙ローラ２０５８、給紙トレイ２０６０、排紙トレイ２０７０、通信制御装置２０８０、及びプリンタ制御装置２０９０などを備えている。
【００２０】
通信制御装置２０８０は、ネットワークなどを介した上位装置（例えばパソコン）との双方向の通信を制御する。
【００２１】
プリンタ制御装置２０９０は、ＣＰＵ、該ＣＰＵにて解読可能なコードで記述されたプログラム及び該プログラムを実行する際に用いられる各種データが格納されているＲＯＭ、作業用のメモリであるＲＡＭ、アナログデータをデジタルデータに変換するＡＤ変換回路などを有している。そして、プリンタ制御装置２０９０は、上位装置からの要求に応じて各部を制御するとともに、上位装置からの画像情報を各光走査装置に送る。
【００２２】
感光体ドラム２０３０ａ、帯電装置２０３２ａ、現像ローラ２０３３ａ、トナーカートリッジ２０３４ａ、及びクリーニングユニット２０３１ａは、組として使用され、ブラックの画像を形成する画像形成ステーション（以下では、便宜上「Ｋステーション」ともいう）を構成する。
【００２３】
感光体ドラム２０３０ｂ、帯電装置２０３２ｂ、現像ローラ２０３３ｂ、トナーカートリッジ２０３４ｂ、及びクリーニングユニット２０３１ｂは、組として使用され、シアンの画像を形成する画像形成ステーション（以下では、便宜上「Ｃステーション」ともいう）を構成する。
【００２４】
感光体ドラム２０３０ｃ、帯電装置２０３２ｃ、現像ローラ２０３３ｃ、トナーカートリッジ２０３４ｃ、及びクリーニングユニット２０３１ｃは、組として使用され、マゼンタの画像を形成する画像形成ステーション（以下では、便宜上「Ｍステーション」ともいう）を構成する。
【００２５】
感光体ドラム２０３０ｄ、帯電装置２０３２ｄ、現像ローラ２０３３ｄ、トナーカートリッジ２０３４ｄ、及びクリーニングユニット２０３１ｄは、組として使用され、イエローの画像を形成する画像形成ステーション（以下では、便宜上「Ｙステーション」ともいう）を構成する。
【００２６】
各感光体ドラムはいずれも、その表面に感光層が形成されている。すなわち、各感光体ドラムの表面がそれぞれ被走査面である。なお、各感光体ドラムは、不図示の回転機構により、図１における面内で矢印方向に回転するものとする。
【００２７】
各帯電装置は、対応する感光体ドラムの表面をそれぞれ均一に帯電させる。
【００２８】
光走査装置２０１０Ａは、プリンタ制御装置２０９０からのブラック画像情報に基づいて変調された光束を、帯電装置２０３２ａによって帯電された感光体ドラム２０３０ａの表面に照射するとともに、プリンタ制御装置２０９０からのシアン画像情報に基づいて変調された光束を、帯電装置２０３２ｂによって帯電された感光体ドラム２０３０ｂの表面に照射する。
【００２９】
光走査装置２０１０Ｂは、プリンタ制御装置２０９０からのマゼンタ画像情報に基づいて変調された光束を、帯電装置２０３２ｃによって帯電された感光体ドラム２０３０ｃの表面に照射するとともに、プリンタ制御装置２０９０からのイエロー画像情報に基づいて変調された光束を、帯電装置２０３２ｄによって帯電された感光体ドラム２０３０ｄの表面に照射する。
【００３０】
これにより、各感光体ドラムの表面では、光が照射された部分だけ電荷が消失し、画像情報に対応した潜像が各感光体ドラムの表面にそれぞれ形成される。ここで形成された潜像は、感光体ドラムの回転に伴って対応する現像ローラの方向に移動する。なお、光走査装置２０１０Ａ及び光走査装置２０１０Ｂの構成については後述する。
【００３１】
トナーカートリッジ２０３４ａにはブラックトナーが格納されており、該トナーは現像ローラ２０３３ａに供給される。トナーカートリッジ２０３４ｂにはシアントナーが格納されており、該トナーは現像ローラ２０３３ｂに供給される。トナーカートリッジ２０３４ｃにはマゼンタトナーが格納されており、該トナーは現像ローラ２０３３ｃに供給される。トナーカートリッジ２０３４ｄにはイエロートナーが格納されており、該トナーは現像ローラ２０３３ｄに供給される。
【００３２】
各現像ローラは、回転に伴って、対応するトナーカートリッジからのトナーが、その表面に薄く均一に塗布される。そして、各現像ローラの表面のトナーは、対応する感光体ドラムの表面に接すると、該表面における光が照射された部分にだけ移行し、そこに付着する。すなわち、各現像ローラは、対応する感光体ドラムの表面に形成された潜像にトナーを付着させて顕像化させる。ここでトナーが付着した像（トナー画像）は、感光体ドラムの回転に伴って転写ベルト２０４０の方向に移動する。
【００３３】
イエロー、マゼンタ、シアン、ブラックの各トナー画像は、所定のタイミングで転写ベルト２０４０上に順次転写され、重ね合わされて多色のカラー画像が形成される。
【００３４】
給紙トレイ２０６０には記録紙が格納されている。この給紙トレイ２０６０の近傍には給紙コロ２０５４が配置されており、該給紙コロ２０５４は、記録紙を給紙トレイ２０６０から１枚ずつ取り出し、レジストローラ対２０５６に搬送する。該レジストローラ対２０５６は、所定のタイミングで記録紙を転写ベルト２０４０と転写ローラ２０４２との間隙に向けて送り出す。これにより、転写ベルト２０４０上のカラー画像が記録紙に転写される。ここで転写された記録紙は、定着装置２０５０に送られる。
【００３５】
定着装置２０５０では、熱と圧力とが記録紙に加えられ、これによってトナーが記録紙上に定着される。ここで定着された記録紙は、排紙ローラ２０５８を介して排紙トレイ２０７０に送られ、排紙トレイ２０７０上に順次スタックされる。
【００３６】
各クリーニングユニットは、対応する感光体ドラムの表面に残ったトナー（残留トナー）を除去する。残留トナーが除去された感光体ドラムの表面は、再度対応する帯電装置に対向する位置に戻る。
【００３７】
次に、前記光走査装置２０１０Ａの構成について説明する。
【００３８】
光走査装置２０１０Ａは、一例として図２及び図３に示されるように、２つの光源（２２００ａ、２２００ｂ）、２つのカップリングレンズ（２２０１ａ、２２０１ｂ）、２つの開口板（２２０２ａ、２２０２ｂ）、２つのシリンドリカルレンズ（２２０４ａ、２２０４ｂ）、ポリゴンミラー２１０４Ａ、偏向器側走査レンズ２１０５Ａ、３枚の折り返しミラー（２１０６ａ、２１０６ｂ、２１０７ａ）、２つの像面側走査レンズ（２１０８ａ、２１０８ｂ）、２枚の防塵ガラス（２１１０ａ、２１１０ｂ）、及び不図示の走査制御装置などを備えている。そして、これらは、光学ハウジング２３００Ａ（図２では図示省略、図３参照）の所定位置に組み付けられている。
【００３９】
なお、ここでは、ＸＹＺ３次元直交座標系において、各感光体ドラムの長手方向に沿った方向をＹ軸方向、ポリゴンミラー２１０４Ａの回転軸に平行な方向をＺ軸方向として説明する。
【００４０】
また、以下では、便宜上、主走査方向に対応する方向を「主走査対応方向」と略述し、副走査方向に対応する方向を「副走査対応方向」と略述する。
【００４１】
光源２２００ａと光源２２００ｂは、副走査対応方向（ここでは、Ｚ軸方向）に関して離れた位置に配置されている。そして、各光源は、発振波長が６５９ｎｍの２つの発光部を有するＬＤ（Ｌａｓｅｒ  Ｄｉｏｄｅ）アレイを含んでいる（図４（Ａ）参照）。該２つの発光部の間隔ｄは３０μｍである。また、各発光部における光束の発散角は、２つの発光部を水平に並べたとき、横方向が３２°（半値全角）、縦方向が８．５°（半値全角）である。
【００４２】
各光源は、その略中心を通り、ポリゴンミラー２１０４Ａに向かう方向に平行な軸まわりに回動可能であり、感光体ドラム表面に形成される潜像の画素密度が６００ｄｐｉに対応するように、すなわち、感光体ドラム表面における副走査方向に関するビーム間隔（ビームピッチ）が約４２．３μｍになるように（図４（Ｂ）参照）、回転調整されている。ここでは、２つの発光部を結ぶ線分が主走査対応方向に対して６３．４°傾斜するように回転調整されている（図４（Ｃ）参照）。
【００４３】
カップリングレンズ２２０１ａは、光源２２００ａから射出された光束（以下では、「光束ＬＢａ」ともいう。）の光路上に配置されている。
【００４４】
カップリングレンズ２２０１ｂは、光源２２００ｂから射出された光束（以下では、「光束ＬＢｂ」ともいう。）の光路上に配置されている。
【００４５】
各カップリングレンズは、焦点距離が１４．５ｍｍ、波長６５９ｎｍの光に対する屈折率が１．５１５のガラス製レンズであり、対応する光源からの光束を略平行光束にする。
【００４６】
開口板２２０２ａは、開口部を有し、カップリングレンズ２２０１ａを介した光束ＬＢａを整形する。
【００４７】
開口板２２０２ｂは、開口部を有し、カップリングレンズ２２０１ｂを介した光束ＬＢｂを整形する。
【００４８】
各開口板の開口部は、主走査対応方向に関する長さが２．８４ｍｍ、副走査対応方向（ここでは、Ｚ軸方向）に関する長さが０．９０ｍｍの長方形状あるいは楕円形状の開口部である。そして、各開口板は、開口部の中心が、対応するカップリングレンズの焦点位置近傍に位置するように配置されている。
【００４９】
シリンドリカルレンズ２２０４ａは、開口板２２０２ａの開口部を通過した光束ＬＢａを、ポリゴンミラー２１０４Ａの偏向反射面近傍にＺ軸方向に関して結像する。
【００５０】
シリンドリカルレンズ２２０４ｂは、開口板２２０２ｂの開口部を通過した光束ＬＢｂを、ポリゴンミラー２１０４Ａの偏向反射面近傍にＺ軸方向に関して結像する。
【００５１】
各シリンドリカルレンズは、焦点距離が８７．８ｍｍ、波長６５９ｎｍの光に対する屈折率が１．５１４のガラス製レンズである。そして、各シリンドリカルレンズは、副走査対応方向に関して互いに近接して配置されている。
【００５２】
カップリングレンズ２２０１ａと開口板２２０２ａとシリンドリカルレンズ２２０４ａとからなる光学系は、Ｋステーションの偏向器前光学系である。
【００５３】
カップリングレンズ２２０１ｂと開口板２２０２ｂとシリンドリカルレンズ２２０４ｂとからなる光学系は、Ｃステーションの偏向器前光学系である。
【００５４】
ポリゴンミラー２１０４Ａは、Ｚ軸方向に平行な軸まわりに回転する６面鏡を有し、各鏡がそれぞれ偏向反射面となる。すなわち、ポリゴンミラー２１０４Ａは、６枚の偏向反射面を有している。上記６面鏡の外形は、半径１３ｍｍの円に内接する正六角形である。
【００５５】
ここでは、各シリンドリカルレンズからの光束は、回転中心よりも＋Ｘ側に位置する同一の偏向反射面に入射する。
【００５６】
そして、シリンドリカルレンズ２２０４ａからの光束ＬＢａは、ポリゴンミラー２１０４Ａの回転軸に直交する平面（ＸＹ平面）に対して＋Ｚ側に２．５°傾斜した方向から偏向反射面に入射する。また、シリンドリカルレンズ２２０４ｂからの光束ＬＢｂは、ポリゴンミラー２１０４Ａの回転軸に直交する平面に対して−Ｚ側に２．５°傾斜した方向から偏向反射面に入射する。
【００５７】
なお、以下では、光束が偏向反射面に入射する際に、ポリゴンミラーの回転軸に直交する面に対して傾斜した方向から入射することを「斜入射」といい、ポリゴンミラーの回転軸に直交する面に平行な方向から入射することを「水平入射」という。
【００５８】
偏向器側走査レンズ２１０５Ａは、ポリゴンミラー２１０４Ａで偏向された光束ＬＢａ及び光束ＬＢｂの光路上に配置されている。
【００５９】
折り返しミラー２１０６ａは、偏向器側走査レンズ２１０５Ａを介した光束ＬＢａの光路上に配置され、該光束ＬＢａの光路を−Ｘ方向に折り返す。
【００６０】
折り返しミラー２１０７ａは、折り返しミラー２１０６ａを介した光束ＬＢａの光路上に配置され、該光束ＬＢａの光路を感光体ドラム２０３０ａに向かう方向に折り返す。
【００６１】
像面側走査レンズ２１０８ａは、折り返しミラー２１０７ａを介した光束ＬＢａの光路上に配置されている。
【００６２】
そこで、ポリゴンミラー２１０４Ａで偏向された光束ＬＢａは、偏向器側走査レンズ２１０５Ａ、折り返しミラー２１０６ａ、折り返しミラー２１０７ａ、像面側走査レンズ２１０８ａ及び防塵ガラス２１１０ａを介して、感光体ドラム２０３０ａに照射され、光スポットが形成される。この光スポットは、ポリゴンミラー２１０４Ａの回転に伴って感光体ドラム２０３０ａの長手方向に移動する。すなわち、感光体ドラム２０３０ａ上を走査する。このときの光スポットの移動方向が、感光体ドラム２０３０ａでの「主走査方向」であり、感光体ドラム２０３０ａの回転方向が、感光体ドラム２０３０ａでの「副走査方向」である。
【００６３】
折り返しミラー２１０６ｂは、偏向器側走査レンズ２１０５Ａを介した光束ＬＢｂの光路上に配置され、該光束ＬＢｂの光路を感光体ドラム２０３０ｂに向かう方向に折り返す。
【００６４】
像面側走査レンズ２１０８ｂは、折り返しミラー２１０６ｂを介した光束ＬＢｂの光路上に配置されている。
【００６５】
そこで、ポリゴンミラー２１０４Ａで偏向された光束ＬＢｂは、偏向器側走査レンズ２１０５Ａ、折り返しミラー２１０６ｂ、像面側走査レンズ２１０８ｂ及び防塵ガラス２１１０ｂを介して、感光体ドラム２０３０ｂに照射され、光スポットが形成される。この光スポットは、ポリゴンミラー２１０４Ａの回転に伴って感光体ドラム２０３０ｂの長手方向に移動する。すなわち、感光体ドラム２０３０ｂ上を走査する。このときの光スポットの移動方向が、感光体ドラム２０３０ｂでの「主走査方向」であり、感光体ドラム２０３０ｂの回転方向が、感光体ドラム２０３０ｂでの「副走査方向」である。
【００６６】
ところで、各感光体ドラムにおける画像情報が書き込まれる主走査方向の走査領域は「有効走査領域」、「画像形成領域」、あるいは「有効画像領域」などと呼ばれている。
【００６７】
ポリゴンミラー２１０４Ａと各感光体ドラムとの間の光路上に配置されている光学系は、走査光学系とも呼ばれている。
【００６８】
光走査装置２０１０Ａでは、偏向器側走査レンズ２１０５Ａと２枚の折り返しミラー（２１０６ａ、２１０７ａ）と像面側走査レンズ２１０８ａと防塵ガラス２１１０ａとからＫステーションの走査光学系が構成されている。
【００６９】
また、偏向器側走査レンズ２１０５Ａと折り返しミラー２１０６ｂと像面側走査レンズ２１０８ｂと防塵ガラス２１１０ｂとからＣステーションの走査光学系が構成されている。
【００７０】
すなわち、偏向器側走査レンズ２１０５Ａは、２つのステーションで共用されている。
【００７１】
偏向器側走査レンズ２１０５Ａは、波長６５９ｎｍの光に対する屈折率が１．５３０の樹脂製レンズであり、中心（光軸上）の肉厚が５．２ｍｍである。
【００７２】
各像面側走査レンズは、波長６５９ｎｍの光に対する屈折率が１．５３０の樹脂製レンズであり、中心（光軸上）の肉厚が３．０ｍｍである。
【００７３】
各走査レンズの各光学面（入射光学面、射出光学面）の形状は、次の（１）式及び（２）式で表される。
【００７４】
【数１】
0005532249.tif 000002
【００７５】
【数２】
0005532249.tif 000003
【００７６】
上記（１）式及び（２）式では、主走査対応方向に関する光軸からの距離をｙとし、副走査対応方向に関する光軸からの距離をｚとしている。そして、光軸を含み、主走査対応方向に平行な断面である「主走査断面」内の近軸曲率半径をＲｍ（＝１／Ｃｍ）、光軸を含み、主走査断面に直交する「副走査断面」内の近軸曲率半径をＲｚとしている。また、Ａ、Ｂ、Ｃ、…は主走査対応方向に関する形状の非球面係数であり、ａ、ｂ、ｃ、…は副走査対応方向に関する形状の非球面係数である。
【００７７】
偏向器側走査レンズ２１０５ＡにおけるＲｍ、Ｒｚ、及び各係数の具体例（単位はｍｍ）が図５に示されている。また、各像面側走査レンズにおけるＲｍ、Ｒｚ、及び各係数の具体例（単位はｍｍ）が図６に示されている。
【００７８】
各像面側走査レンズは、各光束がポリゴンミラーに水平に入射したと仮定したときの軸から、副走査対応方向に関して３．３８ｍｍ通過光束に近づく方向にシフトした位置が、副走査対応方向に関するレンズ面頂点（上記（１）式におけるｚ＝０の位置）となるように配置されている（図７参照）。
【００７９】
各ステーションにおける走査光学系のみの副走査倍率は、−０．８５倍である。そして、各感光体ドラム表面での光スポットの大きさの設計値は、主走査方向で６５μｍ、副走査方向で７５μｍである。
【００８０】
各防塵ガラスは、波長６５９ｎｍの光に対する屈折率が１．５１７、肉厚が１．９ｍｍのガラス板である。
【００８１】
また、主な光学素子の配置位置の具体例が図８及び図９に示されている。そして、有効走査領域の長さは２２０ｍｍであり、該有効走査領域内を光走査するときのポリゴンミラー２１０４Ａの回転角は１７．１°であり、画角は３４．２°である。なお、図８は、走査光学系については、光路を一方向に展開した模式図であり、ｄ１〜ｄ９の値は光路長である。
【００８２】
また、走査光学系における各光学素子の配置位置及び傾斜角の具体例が図１０に示されている。なお、図１０における位置は、偏向反射面での反射位置を起点とする光路長で示されている。また、角度は、副走査対応方向に対する傾斜角で示されている。
【００８３】
ところで、２つの光源（２２００ａ、２２００ｂ）、２つのカップリングレンズ（２２０１ａ、２２０１ｂ）、２つの開口板（２２０２ａ、２２０２ｂ）、及び２つのシリンドリカルレンズ（２２０４ａ、２２０４ｂ）は、一例として図１１に示されるように、保持部材１０に所定の位置関係で保持され、ユニット化されている。以下では、このユニット化されたものを「光源ユニット」という。
【００８４】
各光源は、それぞれ保持部材１０に形成されている貫通孔に挿入され保持されている。
【００８５】
各カップリングレンズは、副走査対応方向の一端に紫外線硬化型の接着剤が塗布され、対応する光源から射出された光束が平行光束となるように、主走査対応方向及び副走査対応方向に関して光軸の調整が行われたのち、接着剤に紫外線が照射され、保持部材１０に固定される。
【００８６】
各開口板は、それぞれ副走査対応方向の一端に紫外線硬化型の接着剤が塗布され、所定の位置に取り付けられると接着剤に紫外線が照射され、保持部材１０に固定される。
【００８７】
各シリンドリカルレンズは、光源ユニットが光学ハウジングに組み付けられた後に、主走査対応方向の一側端面全体に接着剤が塗布され、各折り返しミラーの取り付け誤差や各走査レンズの曲率誤差などによる副走査方向に関するピント位置ずれ、副走査方向に関する照射位置ずれなどを補正するように位置調整が行われる。そして、接着剤に紫外線が照射され、保持部材１０の側板に固定される（図１２参照）。なお、以下では、便宜上、シリンドリカルレンズにおける上記主走査対応方向の一側端面を「接着固定端面」、他側端面を「自由端面」ともいう。また、シリンドリカルレンズにおける副走査対応方向に関する取り付け位置の調整を、「副走査位置調整」と略述する。
【００８８】
また、各シリンドリカルレンズは、光線が略垂直に入射するように取り付けられる。仮に、シリンドリカルレンズに対し光線が斜めに入射すると、屈折が起こるため、副走査対応方向に関する入射位置と出射位置が僅かにずれ、光学特性の劣化を生じる。
【００８９】
また、各シリンドリカルレンズは、光束が通過する領域の中心が、主走査対応方向に関して、レンズの中心に対して、自由端面のほうに０．５ｍｍずれるように設定されている（図１３参照）。この場合は、入射する光線の位置がずれたり、接着剤が予定よりも多く塗布され、光学面に接着剤が付着しても、光線が接着剤の部分に入射することを防ぐことができる。
【００９０】
ところで、光走査装置２０１０Ａでは、Ｋステーションの走査光学系は、２枚の折り返しミラーを有しているのに対し、Ｃステーションの走査光学系は、１枚の折り返しミラーのみを有している。シリンドリカルレンズの副走査位置調整は、折り返しミラーにおける折り返し方向の取り付け角度のばらつきを吸収する目的がある。そのため、折り返しミラーの枚数が多い方が、副走査位置調整の調整量が多くなる。具体的には、シリンドリカルレンズ２２０４ａにおける副走査位置調整の調整幅が±０．６ｍｍであるのに対し、シリンドリカルレンズ２２０４ｂにおける副走査位置調整の調整幅は±０．４ｍｍとなっている。
【００９１】
そこで、シリンドリカルレンズ２２０４ａに塗布される接着剤の量は１［ｍｌ］、シリンドリカルレンズ２２０４ｂに塗布される接着剤の量は０．８［ｍｌ］としている。レンズの光学面に接着剤が付着するのを防ぐためには、接着剤の量をなるべく少なくすることが望ましいが、塗布後の副走査位置調整により接着剤が伸ばされるため、シリンドリカルレンズをその最大調整幅だけ動かしても、保持部材１０に保持されるのに十分な接着剤の量を保つ必要がある。そのため、接着剤の塗布量は、調整幅が大きいシリンドリカルレンズ２２０４ａの方が、シリンドリカルレンズ２２０４ｂよりも多くしている（図１３参照）。
【００９２】
シリンドリカルレンズを保持部材に保持する際、従来は、一例として図１４（Ａ）に示されるように、シリンドリカルレンズにおける副走査対応方向の一側端面に接着剤を塗布し、保持部材に固定していた。なお、便宜上、このような固定を「底面接着」ともいう。一方、光走査装置２０１０Ａでは、シリンドリカルレンズにおける主走査対応方向の一側端面全面に接着剤を塗布し、保持部材に固定している。なお、便宜上、このような固定を「側面接着」ともいう。
【００９３】
例えば、シリンドリカルレンズにおける副走査位置調整の調整幅が±０．５ｍｍのとき、該シリンドリカルレンズが底面接着されていると、接着剤層の厚さは最大１ｍｍになってしまう。紫外線硬化型の接着剤は、その線膨張係数がガラスと比較して１桁程度大きいため、接着剤層の厚さが厚いと、環境温度の変化によって、該シリンドリカルレンズの副走査対応方向に関する取り付け位置が大きく変化する。特に、シリンドリカルレンズは、ポリゴンミラーからの風を直接受けるため、温度変化は他の部分より大きい。
【００９４】
また、紫外線硬化型の接着剤は、紫外線を照射すると容積が変化する。そのため、接着剤層の厚さが厚いと、紫外線を照射する前に、シリンドリカルレンズの位置を最適な位置に調整しても、紫外線を照射した後に、最適な位置からずれるおそれがある。そこで、この場合は、硬化の際の位置ずれを考慮して、シリンドリカルレンズの副走査位置調整を行う必要があり、該調整が煩雑になるという不都合があった。
【００９５】
光が偏向反射面に斜入射される場合は、水平入射される場合に比べて、シリンドリカルレンズにおける副走査位置調整の調整量が多くなる。この副走査位置調整は、偏向反射面に入射する光の斜入射角の調整や、折り返しミラーの取り付け誤差に起因する感光体ドラム表面での副走査方向に関する照射位置の調整に必要である。特に、副走査対応方向にパワーの持つ走査レンズの前段に折り返しミラーがある構成では、該折り返しミラーの取り付け誤差によって、副走査対応方向に関して走査レンズへの光の入射位置が所望の位置からずれてしまう。該入射位置のずれは、波面収差の劣化を招き、感光体ドラム表面での副走査方向に関するスポット径の太り（以下では、便宜上、「副走査スポット径太り」と略述する）が発生するほか、副走査方向に関する光スポットの位置ずれ（以下では、便宜上、「副走査スポット位置ずれ」と略述する）にもつながる。
【００９６】
光走査装置２０１０Ａでは、像面側走査レンズの射出光学面にのみ副走査対応方向にパワーを持つ構成であり、各折り返しミラーの取り付け誤差による光学特性の劣化を、各シリンドリカルレンズの副走査位置調整によって吸収することができ、良好な光学特性を得ることができる。
【００９７】
また、光走査装置２０１０Ａでは、環境温度が変化し、接着剤が膨張／収縮した際に、各シリンドリカルレンズは、主走査対応方向に変位し、副走査対応方向にはほとんど変位しない。そして、各シリンドリカルレンズは、主走査対応方向に関してパワーを持たないため、光学特性への影響は全くない。すなわち、環境温度の変化による光学特性の劣化の心配はない。
【００９８】
なお、各シリンドリカルレンズに代えて、例えば、温度変化による主走査方向に関するピント位置ずれを補正する機能を有する楕円状の回折レンズを用いた場合であっても、主走査対応方向に関するパワーは微小であり、光学特性への影響はほとんどない。
【００９９】
図１５及び図１６には、Ｋステーションにおけるシリンドリカルレンズ２２０４ａの副走査位置調整の効果が示されている。ここで、符号Ａは、折り返しミラー２１０６ａ及び折り返しミラー２１０７ａの折返し角度が設計値から０．３３°ずれている場合であり、符号Ｂは、各折り返しミラーの折返し角度が設計値から０．３３°ずれている状態で、シリンドリカルレンズ２２０４ａにおいて０．２７ｍｍの副走査位置調整を行った場合である。なお、図１５は、図１６のデータをグラフ化したものである。
【０１００】
各折り返しミラーの折返し角度がわずか０．３３°ずれたことで、周辺像高（有効走査領域の端部近傍）では１μｍ以上の副走査スポット径太り量になってしまう。これは、出力画像に悪影響を及ぼす。このとき、シリンドリカルレンズ２２０４ａの副走査位置調整を行うと、副走査スポット径太り量は全像高において、０．１μｍ以下に抑えられており、各折り返しミラーの取り付け誤差を吸収して、良好な光学特性を得ることができている。
【０１０１】
図１７及び図１８には、Ｋステーションにおいて、シリンドリカルレンズ２２０４ａを側面接着したことの効果が示されている。ここでは、符号Ｃは、シリンドリカルレンズ２２０４ａを底面接着させた場合であり、符号Ｄは、シリンドリカルレンズ２２０４ａを側面接着させた場合である。なお、側面接着では、接着剤層の厚みを１．５ｍｍ、接着剤の膨張／収縮量を５％とした。このとき、シリンドリカルレンズ２２０４ａの副走査対応方向に関する変位量を０．０８ｍｍとして、各像高位置での副走査スポット径太り量を算出した。また、側面接着では、シリンドリカルレンズ２２０４ａの主走査対応方向に関する変位量を０．０８ｍｍとして、各像高位置での副走査スポット径太り量を算出した。なお、図１７は、図１８のデータをグラフ化したものである。
【０１０２】
側面接着の場合は、シリンドリカルレンズ２２０４ａが主走査対応方向にパワーを持っていないため、主走査対応方向に変位しても光学特性への影響は全くない。
【０１０３】
次に、前記光走査装置２０１０Ｂの構成について説明する。
【０１０４】
光走査装置２０１０Ｂは、一例として図１９及び図２０に示されるように、２つの光源（２２００ｃ、２２００ｄ）、２つのカップリングレンズ（２２０１ｃ、２２０１ｄ）、２つの開口板（２２０２ｃ、２２０２ｄ）、２つのシリンドリカルレンズ（２２０４ｃ、２２０４ｄ）、ポリゴンミラー２１０４Ｂ、偏向器側走査レンズ２１０５Ｂ、３枚の折り返しミラー（２１０６ｃ、２１０６ｄ、２１０７ｃ）、２つの像面側走査レンズ（２１０８ｃ、２１０８ｄ）、２枚の防塵ガラス（２１１０ｃ、２１１０ｄ）、及び不図示の走査制御装置などを備えている。そして、これらは、光学ハウジング２３００Ｂ（図１９では図示省略、図２０参照）の所定位置に組み付けられている。
【０１０５】
すなわち、光走査装置２０１０Ｂは、前述した光走査装置２０１０Ａと同じ構成である。
【０１０６】
光源２２００ｃから射出された光束（以下では、「光束ＬＢｃ」ともいう。）は、カップリングレンズ２２０１ｃ、開口板２２０２ｃ、シリンドリカルレンズ２２０４ｃを介して、ポリゴンミラー２１０４Ｂに斜入射される。
【０１０７】
また、光源２２００ｄから射出された光束（以下では、「光束ＬＢｄ」ともいう。）は、カップリングレンズ２２０１ｄ、開口板２２０２ｄ、シリンドリカルレンズ２２０４ｄを介して、ポリゴンミラー２１０４Ｂに斜入射される。
【０１０８】
そして、ポリゴンミラー２１０４Ｂで偏向された光束ＬＢｃは、偏向器側走査レンズ２１０５Ｂ、折り返しミラー２１０６ｃ、折り返しミラー２１０７ｃ、像面側走査レンズ２１０８ｃ及び防塵ガラス２１１０ｃを介して、感光体ドラム２０３０ｃに照射され、光スポットが形成される。この光スポットは、ポリゴンミラー２１０４Ｂの回転に伴って感光体ドラム２０３０ｃの長手方向に移動する。すなわち、感光体ドラム２０３０ｃ上を走査する。このときの光スポットの移動方向が、感光体ドラム２０３０ｃでの「主走査方向」であり、感光体ドラム２０３０ｃの回転方向が、感光体ドラム２０３０ｃでの「副走査方向」である。
【０１０９】
また、ポリゴンミラー２１０４Ｂで偏向された光束ＬＢｄは、偏向器側走査レンズ２１０５Ｂ、折り返しミラー２１０６ｄ、像面側走査レンズ２１０８ｄ及び防塵ガラス２１１０ｄを介して、感光体ドラム２０３０ｄに照射され、光スポットが形成される。この光スポットは、ポリゴンミラー２１０４Ｂの回転に伴って感光体ドラム２０３０ｄの長手方向に移動する。すなわち、感光体ドラム２０３０ｄ上を走査する。このときの光スポットの移動方向が、感光体ドラム２０３０ｄでの「主走査方向」であり、感光体ドラム２０３０ｄの回転方向が、感光体ドラム２０３０ｄでの「副走査方向」である。
【０１１０】
２つの光源（２２００ｃ、２２００ｄ）、２つのカップリングレンズ（２２０１ｃ、２２０１ｄ）、２つの開口板（２２０２ｃ、２２０２ｄ）、及び２つのシリンドリカルレンズ（２２０４ｃ、２２０４ｄ）は、保持部材１０に所定の位置関係で保持され、ユニット化されている。
【０１１１】
そして、２つのシリンドリカルレンズ（２２０４ｃ、２２０４ｄ）は、保持部材１０の同一側板に側面接着されている。
【０１１２】
従って、環境温度が変化しても、光学特性への影響は全くない。
【０１１３】
以上説明したように、本実施形態に係る各光走査装置によると、２つの光源、２つの偏光器前光学系、ポリゴンミラー２１０４Ａ、２つの走査光学系などを備えている。
【０１１４】
各光源と各偏光器前光学系は、保持部材１０に保持され、ユニット化されている。そして、各偏光器前光学系は、シリンドリカルレンズを有し、各シリンドリカルレンズは、保持部材１０の同一側板に側面接着されている。
【０１１５】
この場合は、環境温度が変化した際の各シリンドリカルレンズの移動方向が、主走査対応方向と一致することとなり、感光体ドラム表面での光スポットの副走査方向に関する太りを抑制することができる。すなわち、環境温度が変化しても、光学特性の劣化を抑制することができる。
【０１１６】
また、この場合は、各シリンドリカルレンズの副走査位置調整を容易に精度良く行うことができる。
【０１１７】
ところで、仮に、シリンドリカルレンズが、主走査対応方向の一側端面の一部のみで接着固定されていると、該シリンドリカルレンズは、温度変動による接着剤及び光学ハウジングの膨張／収縮によって、光軸まわりに回転するおそれがある。この光軸まわりの回転は、主走査方向及び副走査方向におけるビームスポット径太りに繋がる。
【０１１８】
一方、本実施形態では、各シリンドリカルレンズは、主走査対応方向の一側端面全面で接着固定されているため、温度変動による線像形成レンズの光軸周り回転を防ぐことができる。
【０１１９】
従って、複数の光で高精度の光走査を安定して行うことが可能である。
【０１２０】
また、各光源からの光束は、ポリゴンミラーに斜入射されている。この場合、ポリゴンミラー及び走査レンズにおける入射角の誤差が波面収差の劣化となり、水平入射に比べて、ビームスポット径の劣化が発生しやすい。上記入射角は、シリンドリカルレンズの副走査位置調整によって調整可能である。従来のようにシリンドリカルレンズを底面接着していると、副走査位置調整の調整量に限界があるばかりか、接着剤の塗布量のばらつきにより、温度変動に起因するシリンドリカルレンズの副走査対応方向の位置ずれが大きく発生し、各種光学特性の劣化に繋がってしまう。本実施形態では、シリンドリカルレンズを側面接着しているため、各光源からの光束がポリゴンミラーに斜入射されても、波面収差の劣化を抑制することができる。
【０１２１】
また、各光源からの光束は、ポリゴンミラーに斜入射されるとともに、ポリゴンミラーにおける同一の反射面で偏向されているため、ポリゴンミラーを小型化及び低コスト化することができる。
【０１２２】
また、２つのシリンドリカルレンズは、副走査対応方向に関して互いに近接して配置されている。そのため、副走査方向にコンパクトな光走査装置とすることができる。さらに、斜入射角を小さくすることが可能となり、良好な光学特性を得ることができる。
【０１２３】
また、２つのシリンドリカルレンズは、保持部材の同一の面に固定されているため、副走査位置調整がしやすくなる。また、光走査装置のコンパクト化を促進することができる。さらに、専用の固定壁を設ける場合に比べて、部品点数を減らすことができる。
【０１２４】
また、２つの光源と２つの偏向器前光学系とが、同一の保持部材に保持されているため、組み付け工程及び調整工程を簡素化することができる。
【０１２５】
そして、本実施形態に係るカラープリンタ２０００によると、光走査装置２０１０Ａ及び光走査装置２０１０Ｂを備えているため、結果として、高品質の画像を安定して形成することができる。
【０１２６】
なお、上記実施形態において、前記光走査装置２０１０Ａ及び光走査装置２０１０Ｂに代えて、４つの光源と、４つの偏光器前光学系と、１つのポリゴンミラーと、４つの走査光学系とを備えた光走査装置を用いても良い。そして、一例として図２１に示されるように、４つの光源及び４つの偏光器前光学系を保持部材２０に保持してユニット化する場合、４つのシリンドリカルレンズ（２２０４ａ〜２２０４ｄ）は、それぞれ保持部材２０の同一側板に側面接着される。
【０１２７】
また、上記実施形態では、線像形成レンズとしてシリンドリカルレンズを用いる場合について説明したが、これに限定されるものではない。例えば、シリンドリカルレンズと同等の線像形成機能を有するとともに、温度補正機能を有するレンズを用いても良い。
【０１２８】
また、上記実施形態では、各シリンドリカルレンズが、主走査対応方向の一側端面全面で接着固定される場合について説明したが、これに限定されるものではなく、一例として図２２に示されるように、主走査対応方向の両側端面全面で接着（両側面接着）固定されても良い。この場合、両側端面における接着剤層の厚さをほぼ同じにしておけば、温度変動による接着剤の膨張／収縮によって生じる応力は、両側端面においてほぼ等しくなり、上記実施形態のような片面接着の場合に比べて、シリンドリカルレンズの主走査対応方向の変位量を小さくすることができる。
【０１２９】
また、上記実施形態では、各光源からの光束が、ポリゴンミラーに斜入射される場合について説明したが、これに限定されるものではなく、各光源からの光束が、ポリゴンミラーに水平入射されても良い。
【０１３０】
また、上記実施形態では、トナー像が感光体ドラムから転写ベルトを介して記録紙に転写される場合について説明したが、これに限定されるものではなく、記録紙に直接転写されても良い。
【０１３１】
また、上記実施形態では、各光源が２つの発光部を有する場合について説明したが、これに限定されるものではない。
【０１３２】
なお、上記実施形態では、画像形成装置としてカラープリンタ２０００の場合について説明したが、これに限定されるものではなく、例えば、光プロッタやデジタル複写装置であっても良い。
【０１３３】
また、像担持体として銀塩フィルムを用いた画像形成装置であっても良い。この場合には、光走査により銀塩フィルム上に潜像が形成され、この潜像は通常の銀塩写真プロセスにおける現像処理と同等の処理で可視化することができる。そして、通常の銀塩写真プロセスにおける焼付け処理と同等の処理で転写対象物としての印画紙に転写することができる。このような画像形成装置は光製版装置や、ＣＴスキャン画像等を描画する光描画装置として実施できる。
【０１３４】
また、像担持体としてビームスポットの熱エネルギにより発色する発色媒体（ポジの印画紙）を用いた画像形成装置であっても良い。この場合には、光走査により可視画像を直接、像担持体に形成することができる。
【０１３５】
要するに、上記光走査装置２０１０Ａ（あるいは光走査装置２０１０Ｂ）を備えた画像形成装置であれば、結果として高品質の画像を安定して形成することができる。
【産業上の利用可能性】
【０１３６】
以上説明したように、本発明の光走査装置によれば、複数の光で高精度の光走査を安定して行うのに適している。また、本発明の画像形成装置によれば、高品質の画像を安定して形成するのに適している。
【符号の説明】
【０１３７】
１０…保持部材、２０…保持部材、２０００…カラープリンタ（画像形成装置）、２０１０Ａ，２０１０Ｂ…光走査装置、２０３０ａ〜２０３０ｄ…感光体ドラム（像担持体）、２１０４Ａ，２１０４Ｂ…ポリゴンミラー（光偏向器）、２１０５Ａ，２１０５Ｂ…偏光器側走査レンズ、２１０６ａ〜２１０６ｄ…折り返しミラー、２１０７ａ，２１０７ｃ…折り返しミラー、２１０８ａ〜２１０８ｄ…像面側走査レンズ（副走査方向にパワーを持つ走査レンズ）、２２００ａ〜２２００ｄ…光源、２２０４ａ〜２２０４ｄ…シリンドリカルレンズ（線像形成レンズ）。
【先行技術文献】
【特許文献】
【０１３８】
【特許文献１】特開２００６−３５０２５１号公報
【特許文献２】特許第４３６６０７４号公報
【特許文献３】特許第４１７２５３８号公報
【図１】
0005532249.tif 000004
【図２】
0005532249.tif 000005
【図３】
0005532249.tif 000006
【図４】
0005532249.tif 000007
【図５】
0005532249.tif 000008
【図６】
0005532249.tif 000009
【図７】
0005532249.tif 000010
【図８】
0005532249.tif 000011
【図９】
0005532249.tif 000012
【図１０】
0005532249.tif 000013
【図１１】
0005532249.tif 000014
【図１２】
0005532249.tif 000015
【図１３】
0005532249.tif 000016
【図１４】
0005532249.tif 000017
【図１５】
0005532249.tif 000018
【図１６】
0005532249.tif 000019
【図１７】
0005532249.tif 000020
【図１８】
0005532249.tif 000021
【図１９】
0005532249.tif 000022
【図２０】
0005532249.tif 000023
【図２１】
0005532249.tif 000024
【図２２】
0005532249.tif 000025